(57)【要約】【課題】ジャムを起こした用紙の除去が容易に行える用紙搬送装置を提供する。【解決手段】用紙搬送装置１Ａは、用紙で搬送ジャムが発生すると、カッター６で用紙を切断して、ジャムを起こした部位を含むジャム紙とジャムを起こしていない残紙に分断し、残紙の搬送経路を、ジャムが発生した搬送経路と異なる第１の搬送路２０ａと第２の搬送路２０ｂの何れかに経路切り替えゲート５で切り替え、第１の用紙検知センサ７ａ及び第２の用紙検知センサ７ｂで検知される用紙の位置に基づき、残紙を所定の長さに切断して第１の収納部４０ａと第２の収納部４０ｂの何れかに収納する。【選択図】図１
2016044022.tif 000002
【特許請求の範囲】
【請求項１】
第１の収納部と、
第２の収納部と、
前記第１の収納部に用紙を搬送するための第１の搬送路と、
前記第２の収納部に用紙を搬送するための第２の搬送路と、
前記第１の搬送路及び前記第２の搬送路に沿って用紙を搬送する搬送手段と、
用紙の搬送路を、前記第１の搬送路及び前記第２の搬送路のいずれかに切り替える切り替え手段と、
用紙搬送方向に対して前記切り替え手段の上流側に設けられ、切断位置において用紙を切断する切断手段と、
ジャムの発生を検知する検知手段と、
制御手段とを備え、
前記制御手段は、
前記第１の搬送路を搬送される用紙について前記検知手段によりジャムが検知された場合に、
前記第１の搬送路を搬送される用紙のうち、用紙搬送方向に対して前記切断位置よりも上流側の部位を、前記切断手段により所定の長さに切断し、
前記切り替え手段により、用紙の搬送路を前記第１の搬送路から前記第２の搬送路に切り替え、
前記所定の長さに切断された用紙を、前記搬送手段により、前記第２の搬送路を介して前記第２の収容部に収容する
ことを特徴とする用紙搬送装置。
【請求項２】
前記制御手段は、前記切断手段で切断される用紙の前記所定の長さが、前記搬送手段による搬送可能長さ以上で、かつ、前記第２の収納部に収納可能な長さ以下となるように、前記搬送手段と前記切断手段とを制御する
ことを特徴とする請求項１に記載の用紙搬送装置。
【請求項３】
ジャムの発生をユーザーに通知する通知手段を更に備え、
前記制御手段は、前記搬送される用紙のうち、用紙搬送方向に対して前記切断位置よりも上流側の部位の前記第２の収容部への収容が完了した後に、ジャムが発生したことを前記通知手段により通知する
ことを特徴とする請求項１または請求項２に記載の用紙搬送装置。            
【請求項４】
前記制御手段は、前記検知手段で検知されたジャムが解消された後に、
前記搬送される用紙のうち、用紙搬送方向に対して前記切断位置よりも上流側の部位を、前記切断手段により所定の長さに切断し、
前記所定の長さに切断された用紙を、前記搬送手段により、前記第２の搬送路を介して前記第２の収容部に収容する
ことを特徴とする請求項１または請求項２に記載の用紙搬送装置。
【請求項５】
前記第２の収納部に収納された用紙を綴じる用紙綴じ手段を更に備え、
前記制御手段は、前記第２の収納部に収納された、前記所定の長さに切断された用紙を、前記用紙綴じ手段により綴じる
ことを特徴とする請求項１〜請求項４の何れか１項に記載の用紙搬送装置。
【請求項６】
前記制御手段は、前記所定の長さに切断された用紙が前記第２の収納部に所定枚数収納されると、当該用紙を前記用紙綴じ手段で綴じる
ことを特徴とする請求項５に記載の用紙搬送装置。
【請求項７】
前記制御手段は、前記第２の収納部に収納された、前記所定の長さに切断された用紙を綴じるか否かを、ユーザーの設定により切り替える
ことを特徴とする請求項５に記載の用紙搬送装置。
【請求項８】
第３の収納部と、
前記第３の収納部に用紙を搬送するための第３の搬送路と、
用紙搬送方向に対して前記切り替え手段の上流側に設けられる第４の搬送路と、
前記第３の搬送路及び前記第４の搬送路に沿って用紙を搬送する他の搬送手段と、
用紙の搬送路を、前記第３の搬送路及び前記第４の搬送路のいずれかに切り替える他の切り替え手段と、
用紙搬送方向に対して前記他の切り替え手段の上流側に設けられ、切断位置において用紙を切断する他の切断手段とを備え、
前記制御手段は、
搬送される用紙について前記検知手段によりジャムが検知された場合に、
前記切断手段及び前記他の切断手段により前記所定の長さに切断された用紙が、前記第２の収納部または／及び前記第３の収納部に収納されるように、前記切り替え手段、前記他の切り替え手段、前記切断手段、前記他の切断手段、前記搬送手段及び前記他の搬送手段を制御する
ことを特徴とする請求項１〜請求項７の何れか１項に記載の用紙搬送装置。
【請求項９】
用紙に画像を形成する画像形成装置と、
前記画像形成装置と接続される単数または複数の用紙処理装置と、
前記画像形成装置と前記用紙処理装置との間で用紙を搬送する用紙搬送装置を備え、
前記用紙搬送装置は、
第１の収納部と、
第２の収納部と、
前記第１の収納部に用紙を搬送するための第１の搬送路と、
前記第２の収納部に用紙を搬送するための第２の搬送路と、
前記第１の搬送路及び前記第２の搬送路に沿って用紙を搬送する搬送手段と、
用紙の搬送路を、前記第１の搬送路及び前記第２の搬送路のいずれかに切り替える切り替え手段と、
用紙搬送方向に対して前記切り替え手段の上流側に設けられ、切断位置において用紙を切断する切断手段と、
ジャムの発生を検知する検知手段と、
制御手段とを備え、
前記制御手段は、
前記第１の搬送路を搬送される用紙について前記検知手段によりジャムが検知された場合に、
前記第１の搬送路を搬送される用紙のうち、用紙搬送方向に対して前記切断位置よりも上流側の部位を、前記切断手段により所定の長さに切断し、
前記切り替え手段により、用紙の搬送路を前記第１の搬送路から前記第２の搬送路に切り替え、
前記所定の長さに切断された用紙を、前記搬送手段により、前記第２の搬送路を介して前記第２の収容部に収容する
を備えたことを特徴とする画像形成システム。
【発明の詳細な説明】
【技術分野】
【０００１】
本発明は、用紙を搬送する用紙搬送装置、及び、用紙搬送装置を備えた画像形成システムに関する。
【背景技術】
【０００２】
画像形成装置と、用紙を綴じる処理等を行う用紙処理装置が接続された構成では、画像形成装置と用紙処理装置との間で用紙を搬送する搬送経路が構成される。用紙の搬送ジャムが発生した場合、どちらか一方の装置内にジャムが発生した用紙が収まっている場合は、搬送路を含む架台を引き出してジャムが発生した用紙を除去する作業が行われる。また、ジャムが発生した用紙が複数の装置に跨っている場合、どちらかの装置に用紙を手動で搬送した後、架台を引き出してジャムが発生した用紙を除去する作業が行われる。
【０００３】
しかし、長尺状の用紙が複数の装置に跨っている場合、手動での用紙送り量が多く、作業に時間が掛かる。また、ジャムを起こした用紙の状態によっては、手動で用紙を搬送することができず、ジャムを起こした用紙の除去が困難になる。
【０００４】
ここで、ロール紙等の長尺状の用紙を搬送する装置では、ジャムが発生すると、用紙が搬送可能な長さとなるようにロール紙から用紙を引き出した後、用紙を切断して排紙する技術が提案されている（例えば、特許文献１参照）。また、ジャムが発生すると、引き出された用紙の長さによらず用紙を切断して排紙する技術が提案されている（例えば、特許文献２参照）。
【先行技術文献】
【特許文献】
【０００５】
【特許文献１】特開平１０−１９８０９８号公報
【特許文献２】特開平０７−２６４３４８号公報
【発明の概要】
【発明が解決しようとする課題】
【０００６】
ジャムが発生した用紙を切断することで、ジャムを起こした部位の除去が行えるようになる。一方、ジャムを起こしていない部位についても、次の用紙を搬送可能とするために除去が必要であるが、長尺状の用紙では、ジャムを起こしていない部分の除去にも手間が掛かる。特に、ロール紙であれば、ジャムを起こしていない部位の再利用は可能であるが、長さが決められている長尺状の用紙では、途中で用紙が切断されると、ジャムを起こしていない部位についても再利用はできず、除去が必要である。
【０００７】
本発明は、このような課題を解決するためなされたもので、ジャムを起こした用紙の除去が容易に行える用紙搬送装置、及び、用紙搬送装置を備えた画像形成システムを提供することを目的とする。
【課題を解決するための手段】
【０００８】
上述した課題を解決するため、請求項１に係る発明は、第１の収納部と、第２の収納部と、第１の収納部に用紙を搬送するための第１の搬送路と、第２の収納部に用紙を搬送するための第２の搬送路と、第１の搬送路及び第２の搬送路に沿って用紙を搬送する搬送手段と、用紙の搬送路を、第１の搬送路及び第２の搬送路のいずれかに切り替える切り替え手段と、用紙搬送方向に対して切り替え手段の上流側に設けられ、切断位置において用紙を切断する切断手段と、ジャムの発生を検知する検知手段と、制御手段とを備え、制御手段は、第１の搬送路を搬送される用紙について検知手段によりジャムが検知された場合に、第１の搬送路を搬送される用紙のうち、用紙搬送方向に対して切断位置よりも上流側の部位を、切断手段により所定の長さに切断し、切り替え手段により、用紙の搬送路を第１の搬送路から第２の搬送路に切り替え、所定の長さに切断された用紙を、搬送手段により、第２の搬送路を介して第２の収容部に収容する用紙搬送装置である。
【０００９】
請求項２に係る発明は、制御手段は、切断手段で切断される用紙の所定の長さが、搬送手段による搬送可能長さ以上で、かつ、第２の収納部に収納可能な長さ以下となるように、搬送手段と切断手段とを制御する請求項１に記載の用紙搬送装置である。
【００１０】
請求項３に係る発明は、ジャムの発生をユーザーに通知する通知手段を更に備え、制御手段は、搬送される用紙のうち、用紙搬送方向に対して切断位置よりも上流側の部位の第２の収容部への収容が完了した後に、ジャムが発生したことを通知手段により通知する請求項１または請求項２に記載の用紙搬送装置である。
【００１１】
請求項４に係る発明は、制御手段は、検知手段で検知されたジャムが解消された後に、搬送される用紙のうち、用紙搬送方向に対して切断位置よりも上流側の部位を、切断手段により所定の長さに切断し、所定の長さに切断された用紙を、搬送手段により、第２の搬送路を介して第２の収容部に収容する請求項１または請求項２に記載の用紙搬送装置である。
【００１２】
請求項５に係る発明は、第２の収納部に収納された用紙を綴じる用紙綴じ手段を更に備え、制御手段は、第２の収納部に収納された、所定の長さに切断された用紙を、用紙綴じ手段により綴じる請求項１〜請求項４の何れか１項に記載の用紙搬送装置である。
【００１３】
請求項６に係る発明は、制御手段は、所定の長さに切断された用紙が第２の収納部に枚数収納されると、当該用紙を用紙綴じ手段で綴じる請求項５に記載の用紙搬送装置である。
【００１４】
請求項７に係る発明は、制御手段は、第２の収納部に収納された、所定の長さに切断された用紙を綴じるか否かを、ユーザーの設定により切り替える請求項５に記載の用紙搬送装置である。
【００１５】
請求項８に係る発明は、第３の収納部と、第３の収納部に用紙を搬送するための第３の搬送路と、用紙搬送方向に対して切り替え手段の上流側に設けられる第４の搬送路と、第３の搬送路及び第４の搬送路に沿って用紙を搬送する他の搬送手段と、用紙の搬送路を、第３の搬送路及び第４の搬送路のいずれかに切り替える他の切り替え手段と、用紙搬送方向に対して他の切り替え手段の上流側に設けられ、切断位置において用紙を切断する他の切断手段とを備え、制御手段は、搬送される用紙について検知手段によりジャムが検知された場合に、切断手段及び他の切断手段により所定の長さに切断された用紙が、第２の収納部または／及び第３の収納部に収納されるように、切り替え手段、他の切り替え手段、切断手段、他の切断手段、搬送手段及び他の搬送手段を制御する請求項１〜請求項７の何れか１項に記載の用紙搬送装置である。
【００１６】
請求項９に係る発明は、用紙に画像を形成する画像形成装置と、画像形成装置と接続される単数または複数の用紙処理装置と、画像形成装置と用紙処理装置との間で用紙を搬送する用紙搬送装置を備え、用紙搬送装置は、第１の収納部と、第２の収納部と、第１の収納部に用紙を搬送するための第１の搬送路と、第２の収納部に用紙を搬送するための第２の搬送路と、第１の搬送路及び第２の搬送路に沿って用紙を搬送する搬送手段と、用紙の搬送路を、第１の搬送路及び第２の搬送路のいずれかに切り替える切り替え手段と、用紙搬送方向に対して切り替え手段の上流側に設けられ、切断位置において用紙を切断する切断手段と、ジャムの発生を検知する検知手段と、制御手段とを備え、制御手段は、第１の搬送路を搬送される用紙について検知手段によりジャムが検知された場合に、第１の搬送路を搬送される用紙のうち、用紙搬送方向に対して切断位置よりも上流側の部位を、切断手段により所定の長さに切断し、切り替え手段により、用紙の搬送路を第１の搬送路から第２の搬送路に切り替え、所定の長さに切断された用紙を、搬送手段により、第２の搬送路を介して第２の収容部に収容する画像形成システムである。
【発明の効果】
【００１７】
本発明によれば、第１の搬送路を搬送される用紙でジャムが検知されると、ジャムを起こした部位とジャムを起こしていない部位に用紙が分断され、ジャムを起こしていない部位の用紙の搬送路が第２の搬送路に切り替えられると共に、当該用紙が所定の長さに切断され、第２の搬送路を介して第２の収納部に収納される。
【００１８】
これにより、長尺状の用紙であっても、ジャムを起こした部位の長さが短くなり、除去が容易に行える。また、ジャムを起こしていない部位についても、所定の長さに切断されて収納部に収納されるので、手動による除去等は不要で、用紙の搬送等の処理を迅速に再開できる。
【図面の簡単な説明】
【００１９】
【図１】本実施の形態の用紙搬送装置の一例を示す構成図である。
【図２】本実施の形態の用紙搬送装置の制御機能の一例を示すブロック図である。
【図３】本実施の形態の用紙搬送装置が適用された画像形成システムの一例を示す構成図である。
【図４】本実施の形態の用紙搬送装置の動作の一例を示すフローチャートである。
【図５】本実施の用紙搬送装置における用紙の流れを示す動作説明図である。
【図６】本実施の用紙搬送装置における用紙の流れを示す動作説明図である。
【図７】本実施の用紙搬送装置における用紙の流れを示す動作説明図である。
【図８】本実施の用紙搬送装置における用紙の流れを示す動作説明図である。
【図９】本実施の形態の用紙搬送装置の動作の他の例を示すフローチャートである。
【図１０】本実施の形態の用紙搬送装置が適用された画像形成システムの変形例を示す構成図である。
【図１１】本実施の形態の用紙搬送装置が適用された画像形成システムの変形例を示す構成図である。
【発明を実施するための形態】
【００２０】
以下、図面を参照して、本実施の形態の用紙搬送装置、画像形成システムの実施の形態について説明する。
【００２１】
＜本実施の形態の用紙搬送装置の構成例＞
図１は、本実施の形態の用紙搬送装置の一例を示す構成図である。本実施の形態の用紙搬送装置１Ａは、長尺状の用紙及び短尺状の用紙が搬送される搬送路２を備える。図１では、用紙Ｐとして長尺状の用紙を図示している。また、用紙搬送装置１Ａは、搬送路２で用紙Ｐを搬送する搬送ローラ３と、搬送路２を搬送される用紙Ｐが排紙される複数の排紙部４を備える。
【００２２】
更に、用紙搬送装置１Ａは、用紙Ｐの搬送経路をいずれかの排紙部４に切り替える経路切り替えゲート５と、搬送路２を搬送される用紙Ｐを切断するカッター６を備える。また、用紙搬送装置１Ａは、搬送路２を搬送される用紙Ｐの有無を検知する第１の用紙検知センサ７ａ及び第２の用紙検知センサ７ｂと、各搬送路を搬送される用紙Ｐでジャムの発生を検知するジャム検知センサ７ｃを備える。
【００２３】
搬送ローラ３は搬送手段の一例で、用紙Ｐを挟持する一対の駆動ローラ３０と従動ローラ３１で構成され、駆動ローラ３０が駆動されることで、用紙Ｐを搬送する。搬送路２は、用紙Ｐの搬送方向に沿って複数の搬送ローラ３が設けられる。
【００２４】
用紙の搬送方向に沿った搬送ローラ３の間隔であるローラピッチＭ１は、用紙の搬送方向に対して上流側にある搬送ローラ３を用紙の後端が抜けるより前に、この用紙の先端が、搬送方向の下流側にある搬送ローラ３で挟持されるように、処理対象の用紙の中で、搬送方向に沿った長さが最も短い用紙より短い所定の長さに設定される。
【００２５】
排紙部４は、図１に示す例では、複数枚の用紙Ｐを集積させて収納する第１の収納部４０ａと第２の収納部４０ｂを備える。第１の収納部４０ａと第２の収納部４０ｂは、処理対象の用紙に合わせて、収納可能長さＮ１が設定される。
【００２６】
搬送路２は、第１の収納部４０ａへ用紙Ｐを搬送する第１の搬送路２０ａと、第２の収納部４０ｂへ用紙Ｐを搬送する第２の搬送路２０ｂに分岐する。なお、第１の搬送路２０ａ及び第２の搬送路２０ｂにも、所定のローラピッチで搬送ローラが設けられる。
【００２７】
経路切り替えゲート５は切り替え手段の一例で、第１の搬送路２０ａと第２の搬送路２０ｂの分岐箇所に設けられ、搬送路２を搬送される用紙Ｐの搬送経路を、第１の搬送路２０ａか第２の搬送路２０ｂに切り替える。カッター６は切断手段の一例で、用紙Ｐの搬送方向に対して経路切り替えゲート５の上流側に設けられる。
【００２８】
例えば、長尺状の用紙Ｐが搬送路２から第１の搬送路２０ａに搬送されている状態では、カッター６で用紙Ｐを切断することで、カッター６より上流側に残る用紙Ｐを、経路切り替えゲート５で搬送経路を切り替えて、第２の搬送路２０ｂに搬送することが可能である。
【００２９】
長尺状の用紙Ｐが搬送路２から第１の搬送路２０ａに搬送されている状態で、第１の搬送路２０ａで用紙Ｐの搬送ジャム（以下、ジャムと称す）が発生した場合に、カッター６で用紙Ｐを切断することで、用紙Ｐが、ジャムを起こした部位とジャムを起こしていない部位に分断される。分断された用紙において、ジャムを起こした部位を含む用紙をジャム紙と称し、ジャムを起こしていない部位の用紙を残紙と称す。
【００３０】
このように、カッター６で用紙Ｐを切断することで、カッター６より上流側の残紙を、経路切り替えゲート５で搬送経路を切り替えて、第２の搬送路２０ｂに搬送することが可能である。
【００３１】
第１の用紙検知センサ７ａ及び第２の用紙検知センサ７ｂは用紙検知手段の一例で、搬送路２を搬送される用紙Ｐを検知可能な所定の位置に設けられる。第１の用紙検知センサ７ａ及び第２の用紙検知センサ７ｂでの用紙Ｐの検知の有無で、用紙Ｐの長さが求められる。
【００３２】
図１に示す例では、第１の用紙検知センサ７ａは、カッター６より上流側の搬送路２に設けられ、第２の用紙検知センサ７ｂは、第１の用紙検知センサ７ａより上流側の搬送路２に設けられ、用紙あるいはジャム紙と分断された残紙の後端の検知の有無で用紙等の長さが求められる。
【００３３】
ジャム検知センサ７ｃは検知手段の一例で、図１に示す例では第１の搬送路２０ａの所定箇所に設けられ、第１の搬送路２０ａにおいて用紙Ｐの先端側でジャムが発生した場合を検知できるように構成される。なお、図示しないが、ジャム検知センサ７ｃは、第１の搬送路２０ａの他の所定箇所、搬送路２及び第２の搬送路２０ｂの所定箇所にも設けられる。また、第１の用紙検知センサ７ａ及び第２の用紙検知センサ７ｂ等、用紙の有無を検知するセンサでジャム検知センサを構成しても良い。
【００３４】
図２は、本実施の形態の用紙搬送装置の制御機能の一例を示すブロック図である。用紙搬送装置１Ａの制御機能は、搬送モータ３２、ソレノイド５０、ソレノイド６０、第１の用紙検知センサ７ａ及び第２の用紙検知センサ７ｂ、ジャム検知センサ７ｃ及び制御部８により実現される。
【００３５】
搬送モータ３２は、図１に示す搬送ローラ３の駆動ローラ３０を駆動することで駆動ローラ３０を回転させ、駆動ローラ３０と従動ローラ３１との間に挟持された用紙Ｐを搬送する。ソレノイド５０は、図１に示す経路切り替えゲート５を駆動することで、用紙Ｐの搬送経路を第１の搬送路２０ａか第２の搬送路２０ｂに切り替える。ソレノイド６０は、カッター６を駆動することで、搬送路２に存在する用紙Ｐを切断する。
【００３６】
制御部８は制御手段の一例で、ＣＰＵとメモリとを含む。制御部８は、メモリに記憶されたプログラムをＣＰＵが実行することにより、ジャム検知センサ７ｃの出力によるジャムの検知に基づき、ソレノイド６０でカッター６を駆動して用紙Ｐを切断し、用紙Ｐをジャム紙と残紙に分断する。
【００３７】
また、制御部８は、ソレノイド５０で経路切り替えゲート５を駆動し、搬送モータ３２で搬送ローラ３を駆動して、ジャムを起こしていない残紙を、用紙の搬送が可能な搬送経路を利用して搬送し、いずれかの排紙部４に排紙する。
【００３８】
制御部８は、ジャムを起こしていない残紙を、図１の例では、第１の収納部４０ａまたは第２の収納部４０ｂに収納するため、ソレノイド６０でカッター６を駆動して、第１の収納部４０ａまたは第２の収納部４０ｂにおける収納可能長さＮ１に合わせて残紙を切断する。
【００３９】
制御部８は、切断後の残紙の長さＬ１が、以下に示す（１）式を満たすように、残紙の搬送及び切断を行う。
【００４０】
ローラピッチＭ１≦切断後の残紙の長さＬ１≦収納可能長さＮ１・・・（１）
【００４１】
切断後の残紙の長さＬ１がローラピッチＭ１より短いと、残紙の先端が搬送方向下流側の搬送ローラ３に挟持されるより前に、この残紙の後端が搬送方向上流側の搬送ローラ３から抜けてしまい、残紙の搬送ができなくなる。このため、切断後の残紙の長さＬ１は、ローラピッチＭ１以上とする。また、切断後残紙の長さＬ１が収納可能長さＮ１より長いと、第１の収納部４０ａまたは第２の収納部４０ｂに収納ができないため、切断後の残紙の長さＬ１は、収納可能長さＮ１以下とする。
【００４２】
制御部８は、第１の用紙検知センサ７ａ及び第２の用紙検知センサ７ｂでの分断前の用紙及び分断後の残紙の後端の検知の有無に基づき用紙あるいは残紙の搬送量と残紙の切断の有無を判断し、切断後の残紙の長さＬ１が（１）式を満たすようにして、残紙をジャムが発生した搬送路に応じて第１の収納部４０ａまたは第２の収納部４０ｂに収納する。なお、用紙搬送装置１Ａは、通知手段として表示部を有する操作部９を備え、ジャムが発生したことを目視情報等でユーザー等に通知できるように構成される。通知手段としては、所定の音を発生する構成でも良い。
【００４３】
＜本実施の形態の用紙搬送装置の適用例＞
図３は、本実施の形態の用紙搬送装置が適用された画像形成システムの一例を示す構成図である。本実施の形態の画像形成システム１０Ａは、画像形成装置１１と、画像形成装置１１と接続される単数または複数の用紙処理装置を備える。図３に示す例では、用紙処理装置として、１台の後処理装置１２が画像形成装置１１に接続される。
【００４４】
画像形成装置１１は、図１に示す用紙搬送装置１Ａを構成する搬送路２と搬送ローラ３を備え、画像が形成される用紙Ｐの搬送経路を構成する。また、画像形成装置１１は、搬送路２に給紙される用紙Ｐを収納する単一あるいは複数の収納部２１を備える。
【００４５】
画像形成装置１１は、像担持体である感光体１１ａと、感光体１１ａに光を走査して静電潜像を形成する光学装置１１ｂと、感光体１１ａに形成された静電潜像を顕像化してトナー像を形成する現像装置１１ｃを備える。また、画像形成装置１１は、感光体１１ａに形成されたトナー像を用紙Ｐに転写する転写部１１ｄと、用紙Ｐに転写されたトナー像を定着させる定着部１１ｅを備える。
【００４６】
後処理装置１２は、図３に示す例では、用紙を綴じ針で綴じる機能を有する。後処理装置１２は、図１に示す用紙搬送装置１Ａを構成する第１の搬送路２０ａで、綴じ処理を行わない用紙が搬送される搬送経路を構成する。また、図１に示す第２の搬送路２０ｂで、綴じ処理を行う用紙が搬送される搬送経路を構成する。
【００４７】
画像形成システム１０Ａでは、画像形成装置１１と後処理装置１２が接続されることで、画像形成装置１１の搬送路２と、後処理装置１２の第１の搬送路２０ａ及び第２の搬送路２０ｂがつながる。
【００４８】
後処理装置１２は、メイントレイ４０ａ１とスタッカ４０ｂ１を備える。メイントレイ４０ａ１は、図１に示す第１の収納部４０ａに対応し、第１の搬送路２０ａを搬送された用紙が排紙される。また、スタッカ４０ｂ１は、図１に示す第２の収納部４０ｂに対応し、綴じられる用紙が集積される。そして、後処理装置１２は、スタッカ４０ｂ１に集積された用紙を綴じる用紙綴じ手段としての用紙綴じ部１２ａを備える。
【００４９】
なお、後処理装置１２では、スタッカ４０ｂ１の下流側で第２の搬送路２０ｂが第１の搬送路２０ａと合流する搬送経路が構成され、ジャム等の障害が発生していない通常の状態では、用紙綴じ部１２ａで綴じられた用紙が、スタッカ４０ｂ１からメイントレイ４０ａ１に排紙される。
【００５０】
後処理装置１２は、第１の搬送路２０ａと第２の搬送路２０ｂとの分岐箇所に、経路切り替えゲート５を備え、経路切り替えゲート５の下流側にカッター６を備える。
【００５１】
後処理装置１２は、画像形成装置１１で画像が形成された用紙を綴じずに排紙するモードでは、用紙の搬送経路が第１の搬送路２０ａに切り替えられ、第１の搬送路２０ａを搬送される用紙がメイントレイ４０ａ１に排紙される。また、後処理装置１２は、用紙の束を綴じるステープルモードでは、用紙の搬送経路が第２の搬送路２０ｂに切り替えられ、第２の搬送路２０ｂでスタッカ４０ｂ１に集積された用紙の束が用紙綴じ部１２ａで綴じられて、スタッカ４０ｂ１からメイントレイ４０ａ１に排紙される。
【００５２】
＜本実施の形態の用紙搬送装置の動作例＞
図４は、本実施の形態の用紙搬送装置の動作の一例を示すフローチャート、図５〜図８は、本実施の用紙搬送装置における用紙の流れを示す動作説明図であり、以下に、各図を参照して、本実施の形態の用紙搬送装置の動作の一例について説明する。用紙搬送装置１Ａは、制御部８に含まれるＣＰＵが、メモリに記憶されたプログラムを実行することにより図４のフローチャートに示す処理を実現する。
【００５３】
ここで、図１に示す例では、カッター６と第１の用紙検知センサ７ａとの間の距離をＭ２、第１の用紙検知センサ７ａと第２の用紙検知センサ７ｂとの間の距離をＭ３とすると、第１の用紙検知センサ７ａ及び第２の用紙検知センサ７ｂは、以下の（２）〜（４）式を満たす位置に設けられる。
【００５４】
２×Ｍ１＜Ｍ２・・・（２）
Ｍ１＜Ｍ３・・・（３）
２×Ｍ１＜Ｍ２＋Ｍ３＜Ｍ１＋Ｎ１・・・（３）
【００５５】
以下の例では、長尺状の用紙Ｐが搬送路２から第１の搬送路２０ａに搬送されている状態で、第１の搬送路２０ａでジャムが発生した場合を示す。図５及び図６は、図５（ａ）に示すように、ジャムが発生した用紙Ｐの後端位置が、第２の用紙検知センサ７ｂより上流側にある場合の動作例を示す。また、図７及び図８は、図７（ａ）に示すように、ジャムが発生した用紙Ｐの後端位置が、第１の用紙検知センサ７ａと第２の用紙検知センサ７ｂとの間にある場合の動作例を示す。
【００５６】
制御部８は、図４のステップＳＡ１で、ジャム検知センサ７ｃの出力から第１の搬送路２０ａでジャムが発生したことを検知すると、ステップＳＡ２で、第１の用紙検知センサ７ａ及び第２の用紙検知センサ７ｂの出力から用紙Ｐの後端の位置を判断する。
【００５７】
制御部８は、まず、ステップＳＡ３で、第１の用紙検知センサ７ａが用紙Ｐを検知しているか判断する。第１の用紙検知センサ７ａが用紙Ｐを検知している場合は、用紙Ｐの後端が、第１の用紙検知センサ７ａの検知位置を通過していない状態である。また、第１の用紙検知センサ７ａが用紙Ｐを検知していない場合は、用紙Ｐの後端が、第１の用紙検知センサ７ａの検知位置を通過している状態である。
【００５８】
ステップＳＡ３で、第１の用紙検知センサ７ａが用紙Ｐを検知していると判断すると、制御部８は、ステップＳＡ４で、カッター６を駆動して用紙Ｐを切断し、図５（ｂ）あるいは図７（ｂ）に示すように、ジャム紙Ｐ１と残紙Ｐ２に分断する。
【００５９】
制御部８は、ステップＳＡ５で、第２の用紙検知センサ７ｂが残紙Ｐ２を検知しているか判断する。第２の用紙検知センサ７ｂが残紙Ｐ２を検知している場合は、図５（ｂ）に示すように、残紙Ｐ２の後端が、第２の用紙検知センサ７ｂの検知位置を通過しておらず上流側にある状態である。また、第２の用紙検知センサ７ｂが残紙Ｐ２を検知していない場合は、図７（ｂ）に示すように、残紙Ｐ２の後端が、第２の用紙検知センサ７ｂの検知位置を通過して第１の用紙検知センサ７ａと第２の用紙検知センサ７ｂとの間にある状態である。
【００６０】
ステップＳＡ５で、第２の用紙検知センサ７ｂが残紙Ｐ２を検知していると判断すると、ステップＳＡ６で、制御部８は、図５（ｃ）に示すように、経路切り替えゲート５で搬送経路を第２の搬送路２０ｂに切り替え、ローラピッチＭ１に相当する第１の所定量、残紙Ｐ２を搬送し、ステップＳＡ２の処理に戻る。
【００６１】
ステップＳＡ３で、第１の用紙検知センサ７ａが用紙Ｐを検知していないと判断すると、制御部８は、ステップＳＡ７で操作部９の表示部等によりジャムの発生を通知して、ユーザーや保守作業者等に、第１の搬送路２０ａに残留するジャム紙Ｐ１の除去を行わせる。
【００６２】
次に、ジャム発生時のステップＳＡ５の判断で、残紙Ｐ２の後端が第２の用紙検知センサ７ｂより上流側にあり、ステップＳＡ６の処理で、ローラピッチＭ１に相当する第１の所定量、残紙Ｐ２を搬送した後、図５（ｃ）に示すように、残紙Ｐ２の後端が、第２の用紙検知センサ７ｂを通過し、第１の用紙検知センサ７ａは通過していない状態になった場合を例に説明する。
【００６３】
この状態では、ステップＳＡ３で、第１の用紙検知センサ７ａが用紙Ｐを検知していると判断される。制御部８は、ステップＳＡ４で、カッター６を駆動して残紙Ｐ２を切断し、図６（ａ）に示すように、先行する残紙Ｐ２１と後続の残紙Ｐ２２に分断する。
【００６４】
ステップＳＡ５で、第２の用紙検知センサ７ｂが用紙Ｐを検知していないと判断すると、ステップＳＡ８で、制御部８は、ローラピッチＭ１に相当する第１の所定量、残紙Ｐ２１と残紙Ｐ２２を搬送する。ステップＳＡ９で、制御部８は、カッター６を駆動して、図６（ｂ）に示すように、第２の収納部４０ｂに収納可能な長さとなるように残紙Ｐ２２を切断して、残紙Ｐ２２１と残紙Ｐ２２２に分断する。
【００６５】
そして、ステップＳＡ１０で、制御部８は、収納可能長さＮ１に相当する量を超える第２の所定量、残紙を搬送して、図６（ｃ）に示すように、分断された残紙Ｐ２を第２の収納部４０ｂに収納した後、ステップＳＡ１１で、操作部９の表示部等によりジャムの発生を通知して、ユーザーや保守作業者等に、第１の搬送路２０ａに残留するジャム紙Ｐ１の除去を行わせる。
【００６６】
次に、ジャム発生時のステップＳＡ５の判断で、図７（ｂ）に示すように、残紙Ｐ２の後端が第１の用紙検知センサ７ａと第２の用紙検知センサ７ｂとの間にある場合を例に説明する。
【００６７】
ステップＳＡ５で、第２の用紙検知センサ７ｂが残紙Ｐ２を検知していないと判断すると、ステップＳＡ８で、制御部８は、経路切り替えゲート５で搬送経路を第２の搬送路２０ｂに切り替え、図７（ｃ）に示すように、ローラピッチＭ１に相当する第１の所定量、残紙Ｐ２を搬送する。ステップＳＡ９で、制御部８は、カッター６を駆動して、図８（ａ）に示すように、第２の収納部４０ｂに収納可能な長さとなるように残紙Ｐ２を切断して、残紙Ｐ２１と残紙Ｐ２２に分断する。
【００６８】
そして、ステップＳＡ１０で、制御部８は、収納可能長さＮ１に相当する量を超える第２の所定量、残紙を搬送して、図８（ｂ）に示すように、分断された残紙Ｐ２を第２の収納部４０ｂに収納した後、ステップＳＡ１１で、操作部９の表示部等によりジャムの発生を通知して、ユーザーや保守作業者等に、第１の搬送路２０ａに残留するジャム紙Ｐ１の除去を行わせる。
【００６９】
カッター６で残紙Ｐ２と分断されたジャム紙Ｐ１は、長さが短く、手動による搬送等での除去が容易に行える。また、搬送路が設けられた架台を引き出してジャム紙Ｐ１の除去を行う場合でも、複数の架台に跨るようにジャム紙Ｐ１が残留することが防止され、架台を引き出しての除去が容易に行える。
【００７０】
用紙搬送装置１Ａが適用された図３に示す画像形成システム１０Ａでは、画像形成装置１１と後処理装置１２との間に跨るような長さの長尺紙を搬送している場合でも、ジャムが発生すると、ジャム紙と残紙を分断することで、ジャム紙を除去可能な位置まで手動で搬送し、架台を引き出して除去を行うという処理を用意に行うことができる。
【００７１】
残紙Ｐ２は搬送路に残留していないので、ジャムが発生した場所に応じて、ジャム紙を画像形成装置１１あるいは後処理装置１２に手動で搬送し、所定の単一の架台を引き出して除去を行うことができる。
【００７２】
上述したように、ジャム紙Ｐ１と分断された残紙Ｐ２を、ステップＳＡ５で第２の用紙検知センサ７ｂが検知していない状態では、残紙Ｐ２の後端は第１の用紙検知センサ７ａと第２の用紙検知センサ７ｂの間に存在する。
【００７３】
この状態では、図６（ａ）に示す残紙Ｐ２２、あるいは、図７（ｂ）に示す残紙Ｐ２の長さＬ２は、ローラピッチＭ１の２倍より大きく、ローラピッチＭ１と収納可能長さＮ１の合計より短く、２×Ｍ１＜Ｌ２＜Ｍ１＋Ｎ１の関係を満たす。この場合、上述したように、ステップＳＡ８〜ＳＡ１１の処理を実行する。
【００７４】
まず、ステップＳＡ８で、ローラピッチＭ１に相当する第１の所定量、残紙を搬送することで、ステップＳＡ７で切断後の図６（ｂ）に示す残紙Ｐ２２２、あるいは、図８（ａ）に示す残紙Ｐ２２の長さＬ３は、ローラピッチＭ１より大きく、収納可能長さＮ１より短く、Ｍ１＜Ｌ３＜Ｎ１の関係を満たす。従って、ステップＳＡ１０で、収納可能長さＮ１に相当する量を超える第２の所定量、残紙を搬送することで、分断された全ての残紙を第２の収納部４０ｂに収納できる。
【００７５】
これに対し、上述したステップＳＡ３で第１の用紙検知センサ７ａが用紙Ｐを検知しており、ステップＳＡ５で第２の用紙検知センサ７ｂが用紙Ｐを検知している状態では、用紙Ｐの後端は第２の用紙検知センサ７ｂより上流側に存在する。
【００７６】
（３）式より、第１の用紙検知センサ７ａと第２の用紙検知センサ７ｂとの間の距離Ｍ３は、ローラピッチＭ１より大きく設定されている。これにより、ステップＳＡ６で、ローラピッチＭ１に相当する第１の所定量、残紙Ｐ２を搬送しても、残紙Ｐ２の後端は、第１の用紙検知センサ７ａと第２の用紙検知センサ７ｂとの間に存在する状態、あるいは、第２の用紙検知センサ７ｂに到達しない状態となり、残紙Ｐ２の後端が、カッター６と第１の用紙検知センサ７ａとの間に搬送されることはない。
【００７７】
よって、上述したステップＳＡ３で第１の用紙検知センサ７ａが残紙Ｐ２を検知しており、ステップＳＡ５で第２の用紙検知センサ７ｂが残紙Ｐ２を検知していない状態となるまで、ステップＳＡ２〜ＳＡ６の処理を繰り返して残紙Ｐ２をローラピッチＭ１の長さに合わせて切断しながら搬送した後、ステップＳＡ８〜ＳＡ１１の処理を実行して、分断された残紙Ｐ２を第２の収納部４０ｂに収納することができる。
【００７８】
用紙搬送装置１Ａが適用された図３に示す画像形成システム１０Ａでは、第２の収納部４０ｂであるスタッカ４０ｂ１に収納された残紙Ｐ２を、用紙綴じ部１２ａで綴じることが可能である。そこで、上述した処理で、スタッカ４０ｂ１に収納可能な長さとなるように分断された残紙Ｐ２がスタッカ４０ｂ１に集積された状態で収納されると、用紙綴じ部１２ａで残紙Ｐ２の束を綴じて排紙する。これにより、複数枚ある残紙Ｐ２を回収する処理が容易に行える。
【００７９】
用紙綴じ部１２ａでは、綴じ処理が可能な用紙の枚数が、紙種、坪量毎等で予め決められている。そこで、スタッカ４０ｂ１に収納された残紙の枚数が、予め設定された綴じ処理が可能な所定の枚数に達すると、綴じ処理を行って排紙するようにしても良い。これにより、綴じ処理が可能な枚数以上の残紙を排紙する場合であっても、所定枚数単位で綴じ処理を行って排紙することが可能である。また、保守作業者等の操作部９での操作に基づき、綴じ処理の実行の有無を設定しても良く、保守作業者等により操作部９で綴じ処理を実行すると設定されると、上述した綴じ処理が行われる。また、保守作業者等により操作部９で綴じ処理を実行しないと設定されると、上述した綴じ処理は行われない。
【００８０】
図９は、本実施の形態の用紙搬送装置の動作の他の例を示すフローチャートである。上述した図４の動作では、用紙Ｐをジャム紙Ｐ１と残紙Ｐ２に分断し、残紙Ｐ２を収納部に収納した後、ジャムの発生を通知して、ジャム紙の除去等、ジャム紙の処理を行うこととした。これに対し、図９の動作では、用紙Ｐをジャム紙Ｐ１と残紙Ｐ２に分断し、ジャム紙Ｐ１の処理終了後に、残紙Ｐ２を収納部に収納するものである。用紙搬送装置１Ａは、制御部８に含まれるＣＰＵが、メモリに記憶されたプログラムを実行することにより図９のフローチャートに示す処理を実現する。
【００８１】
制御部８は、図９のステップＳＢ１でジャムが発生したことを検知すると、ステップＳＢ２で、第１の用紙検知センサ７ａ及び第２の用紙検知センサ７ｂの出力から用紙Ｐの後端の位置を判断する。
【００８２】
制御部８は、まず、ステップＳＢ３で、第１の用紙検知センサ７ａが用紙Ｐを検知しているか判断する。ステップＳＢ３で、第１の用紙検知センサ７ａが用紙Ｐを検知していると判断すると、制御部８は、ステップＳＢ４で、カッター６を駆動して用紙Ｐを切断し、ジャム紙Ｐ１と残紙Ｐ２に分断する。
【００８３】
制御部８は、ジャムが発生した用紙Ｐをジャム紙Ｐ１と残紙Ｐ２に分断すると、ステップＳＢ５で操作部９の表示部等によりジャムの発生を通知する。ジャム発生の通知を受けて、保守作業者等は、ステップＳＢ６で、ジャム紙の除去等、ジャム紙Ｐ１の処理を終了させる。
【００８４】
制御部８は、ジャム紙Ｐ１の処理が終了すると、ステップＳＢ７で、第１の用紙検知センサ７ａ及び第２の用紙検知センサ７ｂの出力から残紙Ｐ２の後端の位置を判断する。制御部８は、ステップＳＢ８で、第１の用紙検知センサ７ａが残紙Ｐ２を検知しているか判断する。
【００８５】
ステップＳＢ８で、第１の用紙検知センサ７ａが残紙Ｐ２を検知していると判断すると、制御部８は、ステップＳＢ９で、第２の用紙検知センサ７ｂが残紙Ｐ２を検知しているか判断する。ステップＳＢ９で、第２の用紙検知センサ７ｂが残紙Ｐ２を検知していると判断すると、ステップＳＢ１０で、制御部８は、経路切り替えゲート５で搬送経路を第２の搬送路２０ｂに切り替え、ローラピッチＭ１に相当する第１の所定量、残紙Ｐ２を搬送する。
【００８６】
ステップＳＢ１０で、ローラピッチＭ１に相当する第１の所定量、残紙Ｐ２を搬送すると、制御部８は、ステップＳＢ１１で、カッター６を駆動して残紙Ｐ２を切断し、ステップＳＢ７の処理に戻る。
【００８７】
ステップＳＢ３で、第１の用紙検知センサ７ａが残紙Ｐ２を検知していないと判断すると、制御部８は、ステップＳＢ１２でジャムの発生を通知する。
【００８８】
ステップＳＢ９で、第２の用紙検知センサ７ｂが残紙Ｐ２を検知していないと判断すると、ステップＳＢ１３で、制御部８は、経路切り替えゲート５で搬送経路を第２の搬送路２０ｂに切り替え、ローラピッチＭ１に相当する第１の所定量、残紙Ｐ２を搬送する。ステップＳＢ１４で、制御部８は、カッター６を駆動して、残紙Ｐ２を切断する。
【００８９】
そして、ステップＳＢ１５で、制御部８は、収納可能長さＮ１に相当する量を超える第２の所定量、残紙Ｐ２を搬送して、残紙Ｐ２を第２の収納部４０ｂに収納する。ステップＳＢ１３〜ステップＳＢ１５の処理で残紙Ｐ２を第２の収納部４０ｂに収納することで、搬送路２、第１の搬送路２０ａ及び第２の搬送路２０ｂの何れにも用紙が残っていない状態となり、ステップＳＢ１６で、用紙の搬送処理等をリスタートする。また、ステップＳＢ８で、第２の用紙検知センサ７ｂが残紙Ｐ２を検知していないと判断すると、搬送路２、第１の搬送路２０ａ及び第２の搬送路２０ｂの何れにも用紙が残っていない状態となり、ステップＳＢ１６で、用紙の搬送処理等をリスタートする。
【００９０】
＜本実施の形態の用紙搬送装置の変形例＞
図１０及び図１１は、本実施の形態の用紙搬送装置が適用された画像形成システムの変形例を示す構成図である。なお、図１及び図３等で説明した構成と同じ構成については、同じ番号を付して説明を省略する。
【００９１】
用紙搬送装置１Ｂが適用された画像形成システム１０Ｂは、画像形成装置１１と、画像形成装置１１と接続される単数または複数の用紙処理装置を備える。図１０及び図１１に示す例では、用紙処理装置として、１台の後処理装置１２が画像形成装置１１に接続される。
【００９２】
用紙搬送装置１Ｂは、搬送路２の複数個所にカッターを備える。本例では、３箇所にカッター６ａ〜６ｃを備える。図１０及び図１１の例では、後処理装置１２において、第１の搬送路２０ａと第２の搬送路２０ｂの分岐箇所にカッター６ａが設けられ、カッター６ａで切断された用紙の搬送経路が、経路切り替えゲート５ａで第１の搬送路２０ａか第２の搬送路２０ｂに切り替えられる。
【００９３】
用紙搬送装置１Ｂは、画像形成装置１１に搬送路２から分岐する第３の搬送路２０ｃと、第３の搬送路２０ｃを搬送される用紙が収納される第３の収納部４０ｃを備える。また、第４の搬送路の一例である搬送路２と第３の搬送路２０ｃの分岐箇所に他の切断手段の一例としてのカッター６ｂが設けられ、カッター６ｂで切断された用紙の搬送経路が、他の切換手段の一例である経路切り替えゲート５ｂで搬送路２か第３の搬送路２０ｃに切り替えられる。更に、カッター６ｂの上流側に他の切断手段の一例としてのカッター６ｃを備える構成としても良い。
【００９４】
複数のカッター６ａ〜６ｃの間隔は、搬送ローラ３のローラピッチより大きくする。これは、カッターの間隔がローラピッチより短いと、カッター間で切断された用紙が搬送できなくなるためである。また、カッターが設けられる位置は、経路切り替えゲート近傍かつ上流側であることが望ましい。
【００９５】
後処理装置１２と画像形成装置１１に跨るような長尺状の用紙Ｐを搬送している状態で、用紙Ｐの先端側でジャムが発生した場合、図１０の例では、複数のカッター６ａ〜６ｃで切断した残紙を、カッターの直近で分岐する搬送路がある場合に、この搬送経路に切り替えて収納部に収納する。
【００９６】
図１０の例では、カッター６ａとカッター６ｂで切断された残紙Ｐ２３は、経路切り替えゲート５ａで搬送経路が第２の搬送路２０ｂに切り替えられ、第２の搬送路２０ｂを搬送されて第２の収納部４０ｂに収納される。また、カッター６ｂで切断された残紙Ｐ２４は、経路切り替えゲート５ｂで搬送経路が第３の搬送路２０ｃに切り替えられ、第３の搬送路２０ｃを搬送されて第３の収納部４０ｃに収納される。
【００９７】
これにより、ジャム紙Ｐ１は、後処理装置１２と画像形成装置１１に跨ることなく、第１の搬送路２０ａに残留し、除去が容易に行える。また、残紙も後処理装置１２と画像形成装置１１に跨ることなく、少ない搬送距離で収納部に収納することができる。
【００９８】
図１１の例では、複数のカッター６ａ〜６ｃで切断した残紙を、同一の収納部に収納する。例えば、カッター６ａとカッター６ｂで切断された残紙Ｐ２３は、経路切り替えゲート５ａで搬送経路が第２の搬送路２０ｂに切り替えられ、第２の搬送路２０ｂを搬送されて第２の収納部４０ｂに収納される。また、カッター６ｂで切断された残紙Ｐ２４は、経路切り替えゲート５ｂで搬送経路が搬送路２に切り替えられ、経路切り替えゲート５ａで搬送経路が第２の搬送路２０ｂに切り替えられて、第２の搬送路２０ｂを搬送されて第２の収納部４０ｂに収納される。
【００９９】
これにより、ジャム紙Ｐ１は、後処理装置１２と画像形成装置１１に跨ることなく、第１の搬送路２０ａに残留し、除去が容易に行える。また、残紙も後処理装置１２と画像形成装置１１に跨ることなく、同一の収納部に収納することができる。
【０１００】
なお、上述した各実施の形態では、長尺状の用紙の先端側でジャムが発生した場合を例に説明したが、用紙の後端側でジャムが発生した場合も、複数の用紙検知センサで検知される用紙の有無の情報に基づき、用紙がどのように停止しているか、長さ等を判断し、用紙の搬送及びカッターによる切断を行って、ジャム紙と分断された残紙を収納部に収納することが可能である。
【産業上の利用可能性】
【０１０１】
本発明は、長尺状の用紙を搬送する搬送経路を有した装置に適用される。
【符号の説明】
【０１０２】
１Ａ・・・用紙搬送装置、２・・・搬送路、２０ａ・・・第１の搬送路、２０ｂ・・・第２の搬送路、３・・・搬送ローラ、４・・・排紙部、４０ａ・・・第１の収納部、４０ｂ・・・第２の収納部、５・・・経路切り替えゲート、６・・・カッター、７ａ・・・第１の用紙検知センサ、７ｂ・・・第２の用紙検知センサ、８・・・制御部
【図１】
2016044022.tif 000003
【図２】
2016044022.tif 000004
【図３】
2016044022.tif 000005
【図４】
2016044022.tif 000006
【図５】
2016044022.tif 000007
【図６】
2016044022.tif 000008
【図７】
2016044022.tif 000009
【図８】
2016044022.tif 000010
【図９】
2016044022.tif 000011
【図１０】
2016044022.tif 000012
【図１１】
2016044022.tif 000013